(57)【要約】【課題】再生情報とともに特定の地域のみに対応づけられる地域管理情報を記憶した光ディスクを再生する光ディスク再生装置おいて、地域を移動した場合ＧＰＳによる位置情報取得によって光ディスク再生部の地域データを変更する手段があるが、ＧＰＳの電波を受信できない遮蔽された空間では地域情報が取得できない。【解決手段】脱着型地域データ保持手段２５０を設けることにより、遮蔽された空間においても、光ディスク２３０の再生が許容されている地域の場合であることを確認できる場合、光ディスク２３０の再生を可能とする。【選択図】      図２
2004185724.tif 000002
【特許請求の範囲】
【請求項１】
再生情報とともに特定の地域のみに対応づけられる地域管理情報を記憶した記録媒体を再生するに際し、
記録媒体を再生する記録媒体再生部に対して着脱自在の地域データ保持手段に、前記記録媒体の再生を許可する地域を特定する地域データを設定し、
前記記録媒体再生部の地域データ設定部に設定された地域データを前記地域データ保持手段に設定された地域データに更新し、
記録媒体再生部の地域データ設定部に設定された地域データと、前記記録媒体に記憶された地域データとを照合し、照合が一致した場合に前記記録媒体の再生情報を出力する
記録媒体再生装置における地域管理方法。
【請求項２】
前記地域データ保持手段には、前記地域データの他に、前記記録媒体再生部の固有の再生装置情報を設定し、
前記地域データ設定部に設定された地域データを前記地域データ保持手段に設定された地域データに更新する際には、前記記録媒体再生部の固有の再生装置情報と前記地域データ保持手段に設定された前記再生装置情報とを照合して前記更新を許可する
請求項１記載の記録媒体再生装置における地域管理方法。
【請求項３】
再生情報とともに特定の地域のみに対応づけられる地域管理情報を記憶した記録媒体を再生する記録媒体再生装置であって、
記録媒体を再生する記録媒体再生部と、
再生を許可する地域を特定する地域データが設定され前記記録媒体再生部に対して脱着自在の脱着型地域データ保持手段と、
セットされた前記脱着型地域データ保持手段から地域管理情報を取得して前記記録媒体再生部に供給する地域データ取得手段と、
前記記録媒体再生部に設けられ、前記地域データ取得手段を介して入手した地域データと前記記録媒体に記憶された前記地域管理情報と照合し、照合した各地域情報に対応づけられている地域が互いに一致した場合に再生信号を出力する地域管理判別部と
を備えた記録媒体再生装置。
【請求項４】
前記脱着型地域データ保持手段の代わりに、前記記録媒体再生部に対して非接触状態で地域データを提供できる非接触型データ記録手段を備えた
請求項３記載の記録媒体再生装置。
【請求項５】
前記脱着型地域データ保持手段および前記地域データ取得手段の代わりに、使用地域の商用電源電圧を適正な電圧に変換する電圧電圧変換機能と該当する地域コードが設定され電圧変換ユニットを設け、
地域管理判別部は、前記電圧変換ユニットを介して入手した地域データと前記記録媒体に記憶された前記地域管理情報と照合し、照合した各地域情報に対応づけられている地域が互いに一致した場合に再生信号を出力する
請求項３記載の記録媒体再生装置。
【請求項６】
前記地域データ取得手段を介して入手した地域データ、または前記非接触型データ記録手段から入手した地域データ、または前記電圧変換ユニットから入手した地域データを記憶する地域データ設定部を記録媒体再生部に設け、
接続された商用電源電圧から使用地域を判別する供給電源判定手段を設け、
前記地域管理判別部を、供給電源判定手段により判定された使用地域と前記地域データ設定部から読み取った地域データとを照合して記録媒体からの再生信号の出力を制御するよう構成した
請求項３〜請求項５の何れかに記載の記録媒体再生装置。
【請求項７】
前記脱着型地域データ保持手段及び前記地域データ取得手段の代わりに、ネットワークから現在位置情報を受信し地域管理判別を行うネットワークデータ位置判別手段を備えた
請求項３記載の記録媒体再生装置。
【請求項８】
前記脱着型地域データ保持手段及び前記地域データ取得手段の代わりに、
電話をかけた接続状態から地域を判別して前記地域データ設定部に地域データを設定する電話回線位置判別手段を備えた
請求項３記載の記録媒体再生装置。
【請求項９】
再生情報とともに特定の地域のみに対応づけられる地域管理情報を記憶した記録媒体を再生するに際し、
記録媒体を再生する記録媒体再生部に対して着脱自在で商用電源を前記記録媒体再生部が必要とする電源電圧に変換する電圧変換ユニットに、前記記録媒体の再生を許可する地域を特定する地域データを設定し、
前記記録媒体再生部の地域データ設定部に設定された地域データを前記電圧変換ユニットに設定された地域データに更新し、
記録媒体再生部の地域データ設定部に設定された地域データと、前記記録媒体に記憶された地域データとを照合し、照合が一致した場合に前記記録媒体の再生情報を出力する
記録媒体再生装置における地域管理方法。
【請求項１０】
前記電圧変換ユニットには、前記地域データの他に、前記記録媒体再生部の固有の再生装置情報を設定し、
前記地域データ設定部に設定された地域データを前記電圧変換ユニットに設定された地域データに更新する際には、前記記録媒体再生部の固有の再生装置情報と前記電圧変換ユニットに設定された前記再生装置情報とを照合して前記更新を許可する
請求項９記載の記録媒体再生装置における地域管理方法。
【請求項１１】
再生情報とともに特定の地域のみに対応づけられる地域管理情報を記憶した記録媒体を再生するに際し、
記録媒体を再生する記録媒体再生部に対して着脱自在の地域データ保持手段に、前記記録媒体の再生を許可する地域を特定する地域データを設定し、
前記記録媒体再生部の地域データ設定部に設定された地域データを前記地域データ保持手段に設定された地域データに更新し、
記録媒体再生部の地域データ設定部に設定された地域データと、前記記録媒体に記憶された地域データ、ならびに接続された商用電源から判定した実際の使用地域とを照合し、照合が一致した場合に前記記録媒体の再生情報を出力する
記録媒体再生装置における地域管理方法。
【請求項１２】
再生情報とともに特定の地域のみに対応づけられる地域管理情報を記憶した記録媒体を再生するに際し、
前記記録媒体再生部の地域データ設定部に設定された地域コードを、ネットワーク回線または電話回線を介して更新し、
記録媒体再生部の地域データ設定部に設定された地域データと、前記記録媒体に記憶された地域データ、ならびに接続された商用電源から判定した実際の使用地域とを照合し、照合が一致した場合に前記記録媒体の再生情報を出力する
記録媒体再生装置における地域管理方法。
【発明の詳細な説明】
【０００１】
【発明の属する技術分野】
本発明は記録媒体再生装置における再生可能地域の管理方法、具体的には、映像、音声、データ等に加えて地域管理情報が記録された光ディスクなどを再生する光ディスク再生装置などに関する。
【０００２】
【従来の技術】
映画などのコンテンツが記録された光ディスクの場合には、コンテンツ製作者の著作権を保護するために地域管理の運用規制が定められており、このような地域管理を行うために、光ディスクには少なくとも、著作権保護を行うか否かの情報と、著作権保護を行う場合の再生可能な地域管理情報が記録され、また、光ディスク再生装置には地域管理情報として固有の地域番号が設定され保持されている。
【０００３】
著作権保護を行う場合には、光ディスク再生装置においては、設定された地域番号に対応した地域管理情報を有する光ディスクのみが再生可能となる。
上記のような著作権保護を行うための地域管理システムは、光ディスクに記録された地域管理フラグの内容に従って、ビデオコンテンツを再生するか否かを決定するシステムであり、コンテンツ製作者がその著作権を守るために、光ディスク毎に地域管理フラグを決定し、対応する地域において再生の可／否を設定するものである。また、地域番号毎に設定される地域管理フラグは以下のように定義されている（ＤＶＤ  Ｓｐｅｃｉｆｉｃａｔｉｏｎ  ｆｏｒ  Ｒｅａｄ  Ｏｎｌｙ  ｄｉｓｃ）。
【０００４】
０：対応する地域において再生してもよい。
１：対応する地域において再生してはならない。
図１は地域番号の定義例を説明するための図で、システムパラメータＳＰＲＭ（２０）用プレーヤ地域コードの定義を引用したものである。ここでは、地域番号が“１”〜“８”まで設定されているが、このうち“７”は未使用となっている。すなわち、全世界を７地域に分けてそれぞれに“１”から“６”、“８”までの地域番号を割り当てたものとなっている。ここでは、ＳＰＲＭ（２０）用プレーヤ地域コードとして各地域毎にリージョンコード（Ｒｅｇｉｏｎ  Ｃｏｄｅ）が設定される。このときのビット・フィールドは８ビットであり、各ビットを“１”とすることでリージョンコードを制御している。そして７つの地域のうちの一つのみに対応することが定められている。各地域番号に対応する主要な国や地域としては、例えば、１：米国・カナダ、２：西欧・東欧・日本、３：アジア・韓国、４：メキシコ・南米・オーストラリア、５：ロシア・アフリカ・インド、６：中国、８：特殊地域などが設定されている。
【０００５】
このような光ディスクシステムにおける地域管理の考え方を遵守しながら、同一の光ディスク再生装置で異なる地域管理情報を有する光ディスクを再生可能とする光ディスク再生装置は、ＧＰＳ（Ｇｌｏｂａｌ  Ｐｏｓｉｔｉｏｎｉｎｇ  Ｓｙｓｔｅｍ）を現在位置情報取得手段として、取得した位置情報を元に設定された地域管理情報を更新することによって実現可能であった（特許文献１参照）。
【０００６】
【特許文献１】
特開２０００−１４９４２０号
【０００７】
【発明が解決しようとする課題】
しかしながら、上記従来の構成では、ＧＰＳによる位置情報取得手段が必要であったため、高周波的に遮蔽された空間では地域情報が取得できず、地域データを更新できない。
【０００８】
本発明は上記従来の課題を解決するものであり、光ディスクシステムなどにおける地域管理の考え方を遵守しながら、高周波的に遮蔽された空間で使用する場合においても同一の記録媒体再生装置で、異なる地域管理情報を有する記録媒体を再生可能とする記録媒体再生装置における地域管理方法を提供することを目的とする。
【０００９】
【課題を解決するための手段】
本発明の記録媒体再生装置における地域管理方法は、再生情報とともに特定の地域のみに対応づけられる地域管理情報を記憶した記録媒体を再生するに際し、記録媒体を再生する記録媒体再生部に対して着脱自在の地域データ保持手段に、前記記録媒体の再生を許可する地域を特定する地域データを設定し、前記記録媒体再生部の地域データ設定部に設定された地域データを前記地域データ保持手段に設定された地域データに更新し、記録媒体再生部の地域データ設定部に設定された地域データと、前記記録媒体に記憶された地域データとを照合し、照合が一致した場合に前記記録媒体の再生情報を出力することを特徴とする。
【００１０】
また、前記地域データ保持手段には、前記地域データの他に、前記記録媒体再生部の固有の再生装置情報を設定し、前記地域データ設定部に設定された地域データを前記地域データ保持手段に設定された地域データに更新する際には、前記記録媒体再生部の固有の再生装置情報と前記地域データ保持手段に設定された前記再生装置情報とを照合して前記更新を許可することを特徴とする。
【００１１】
本発明の記録媒体再生装置は、再生情報とともに特定の地域のみに対応づけられる地域管理情報を記憶した記録媒体を再生する記録媒体再生装置であって、記録媒体を再生する記録媒体再生部と、再生を許可する地域を特定する地域データが設定され前記記録媒体再生部に対して脱着自在の脱着型地域データ保持手段と、セットされた前記脱着型地域データ保持手段から地域管理情報を取得して前記記録媒体再生部に供給する地域データ取得手段と、前記記録媒体再生部に設けられ、前記地域データ取得手段を介して入手した地域データと前記記録媒体に記憶された前記地域管理情報と照合し、照合した各地域情報に対応づけられている地域が互いに一致した場合に再生信号を出力する地域管理判別部とを備えたことを特徴とする。
【００１２】
また、前記脱着型地域データ保持手段の代わりに、前記記録媒体再生部に対して非接触状態で地域データを提供できる非接触型データ記録手段を備えたことを特徴とする。
【００１３】
また、前記脱着型地域データ保持手段および前記地域データ取得手段の代わりに、使用地域の商用電源電圧を適正な電圧に変換する電圧電圧変換機能と該当する地域コードが設定され電圧変換ユニットを設け、地域管理判別部は、前記電圧変換ユニットを介して入手した地域データと前記記録媒体に記憶された前記地域管理情報と照合し、照合した各地域情報に対応づけられている地域が互いに一致した場合に再生信号を出力することを特徴とする。
【００１４】
また、前記地域データ取得手段を介して入手した地域データ、または前記非接触型データ記録手段から入手した地域データ、または前記電圧変換ユニットから入手した地域データを記憶する地域データ設定部を記録媒体再生部に設け、接続された商用電源電圧から使用地域を判別する供給電源判定手段を設け、前記地域管理判別部を、供給電源判定手段により判定された使用地域と前記地域データ設定部から読み取った地域データとを照合して記録媒体からの再生信号の出力を制御するよう構成したことを特徴とする。
【００１５】
また、前記脱着型地域データ保持手段及び前記地域データ取得手段の代わりに、ネットワークから現在位置情報を受信し地域管理判別を行うネットワークデータ位置判別手段を備えたことを特徴とする。
【００１６】
また、前記脱着型地域データ保持手段及び前記地域データ取得手段の代わりに、電話をかけた接続状態から地域を判別して前記地域データ設定部に地域データを設定する電話回線位置判別手段を備えたことを特徴とする。
【００１７】
さらに、本発明の記録媒体再生装置における地域管理方法は、再生情報とともに特定の地域のみに対応づけられる地域管理情報を記憶した記録媒体を再生するに際し、記録媒体を再生する記録媒体再生部に対して着脱自在で商用電源を前記記録媒体再生部が必要とする電源電圧に変換する電圧変換ユニットに、前記記録媒体の再生を許可する地域を特定する地域データを設定し、前記記録媒体再生部の地域データ設定部に設定された地域データを前記電圧変換ユニットに設定された地域データに更新し、記録媒体再生部の地域データ設定部に設定された地域データと、前記記録媒体に記憶された地域データとを照合し、照合が一致した場合に前記記録媒体の再生情報を出力することを特徴とする。
【００１８】
また、前記電圧変換ユニットには、前記地域データの他に、前記記録媒体再生部の固有の再生装置情報を設定し、前記地域データ設定部に設定された地域データを前記電圧変換ユニットに設定された地域データに更新する際には、前記記録媒体再生部の固有の再生装置情報と前記電圧変換ユニットに設定された前記再生装置情報とを照合して前記更新を許可することを特徴とする。
【００１９】
また、再生情報とともに特定の地域のみに対応づけられる地域管理情報を記憶した記録媒体を再生するに際し、記録媒体を再生する記録媒体再生部に対して着脱自在の地域データ保持手段に、前記記録媒体の再生を許可する地域を特定する地域データを設定し、前記記録媒体再生部の地域データ設定部に設定された地域データを前記地域データ保持手段に設定された地域データに更新し、記録媒体再生部の地域データ設定部に設定された地域データと、前記記録媒体に記憶された地域データ、ならびに接続された商用電源から判定した実際の使用地域とを照合し、照合が一致した場合に前記記録媒体の再生情報を出力することを特徴とする。
【００２０】
また、再生情報とともに特定の地域のみに対応づけられる地域管理情報を記憶した記録媒体を再生するに際し、記記録媒体再生部の地域データ設定部に設定された地域コードを、ネットワーク回線または電話回線を介して更新し、録媒体再生部の地域データ設定部に設定された地域データと、前記記録媒体に記憶された地域データ、ならびに接続された商用電源から判定した実際の使用地域とを照合し、照合が一致した場合に前記記録媒体の再生情報を出力することを特徴とする。
【００２１】
【発明の実施の形態】
以下、本発明の記録媒体再生装置における地域管理方法を、具体的な各実施の形態に基づいて説明する。
【００２２】
（実施の形態１）
図２と図３は本発明の記録媒体再生装置を示す。
図２は再生可能地域の管理機能を有する（実施の形態１）の記録媒体再生装置である。２１０はセットされた光ディスク２３０を再生する光ディスク再生部、２１１は機器固有の地域番号が設定される地域データ設定部、２１２は地域管理判別部で、光ディスク２３０が読み出した固有の地域管理情報（リージョンコード）と地域データ設定部２１１から出力された機器固有の地域データとを照合する。
【００２３】
２５０は地域データ取得手段２２０を介して前記光ディスク再生部２１０に対して脱着自在の脱着型地域データ保持手段で、地域データ取得手段２２０をフラッシュメモリカードリーダとした場合には脱着型地域データ保持手段２５０はフラッシュメモリカードである。
【００２４】
２２１は地域データ取得手段２２０の地域データ取得部で、地域データ取得手段２２０のフラッシュメモリカードスロットルに挿入されたフラッシュメモリカード２５０から読み取った地域データを、前記地域データ設定部２１１に設定する。
【００２５】
前記地域データ設定部２１１は、地域データ取得部２２１の出力に応じて“１”から“８”の該当する地域番号を地域管理判別部２１２へ出力する。
地域管理判別部２１２は、光ディスク２３０の地域管理情報と地域データ設定部２１１に設定された地域データとを照合し、一致した時に光ディスク２３０からの再生信号を画像表示装置２４０に再生信号として出力する。
【００２６】
このように構成したため、地域データ取得手段２２０のスロットルに適切な地域データが書き込まれたフラッシュメモリカード２５０を挿入して光ディスク再生部２１０の地域データ設定部２１１の設定を更新することができ、光ディスク再生装置の設置場所が、ＧＰＳ信号を受信できないような高周波的に遮蔽された空間であった場合においても、地域データを光ディスク再生部２１０に設定できる。
【００２７】
したがって、同一の光ディスク再生装置であっても、地域データ設定部２１１の設定を更新することによって、異なる地域管理情報を有する光ディスクを再生することができる。
【００２８】
さらに、前記フラッシュメモリカード２５０には、地域データの他に個々の光ディスク再生装置に固有の情報が書かれており、例えば、地域データ設定部２１１において、光ディスク再生部２１０の固有の再生装置情報とフラッシュメモリカード２５０に設定された前記再生装置情報とを照合して前記更新を許可するように構成されており、他の光ディスク再生装置で使用されているフラッシュメモリカードを使用することはできない。
【００２９】
これによって、複数のフラッシュメモリカードを差し替えることによって容易に地域データを設定できることを防ぐことができる。
フラッシュメモリカード２５０の具体的な書き換え方法は、例えば、店頭に置かれた書き換え装置によって行われ、書き換える地域データは必ず書き換え装置が置かれた場所の地域データとする。
【００３０】
地域データ設定部２１１を書き換える場合は、目的の地域データが書き込まれたフラッシュメモリカード２５０をフラッシュメモリカードリーダ２２０のスロットルに差し込む。その状態で光ディスク再生部２１０の電源を投入すると、フラッシュメモリカード２５０は光ディスク再生部２１０から電源供給を受け、光ディスク再生部２１０は自動的にフラッシュメモリカードから地域データを取得し、光ディスク再生装置に設定されている地域データを書き換える。地域データが一度設定されれば、フラッシュメモリカードを差した状態でなくても使用できる。
【００３１】
上記の地域データの更新は自動で実行されたが、  図３に示すように地域データ書き換えの一連の動作を画像表示装置２４０の画面に表示させるＯＳＤ（オンスクリーンディスプレー）等のユーザーインターフェースで実現すれば、より明確に地域データが書き換えられたことを認識することができる。
【００３２】
具体的には、ステップ３０１では、画像表示装置２４０の画面に初期設定のメニュー画面が表示される。ここで光ディスク再生部に付属しているリモートコントロール子機の選択ボタンなどを使用して４番目の「地域データ変更」を選択すると、ステップ３０２では、画像表示装置２４０の画面に地域データ更新の作業指示画面が表示される。この作業指示画面の内容に従ってフラッシュメモリカードリーダ２２０のスロットに、目的の地域データが書き込まれたフラッシュメモリカード２５０を差し込むと、ステップ３０３またはステップ３０４の画面に切り換わる。
【００３３】
ステップ３０３は、ステップ３０２の直後に受け付けたフラッシュメモリカード２５０が規定を満足している場合で、地域データ設定部２１１の書き換えが終了するまで「地域データを読み込んでいます」が画像表示装置２４０の画面に表示され、書き換えが完了するとステップ３０５で更新完了が表示される。
【００３４】
ステップ３０４は、ステップ３０２の直後に受け付けたフラッシュメモリカード２５０が規定を満足していない場合で、「このカードは使用できません」が画像表示装置２４０の画面に規定時間だけ表示され、ステップ３０２に戻って、規定を満足したフラッシュメモリカード２５０の差し込みを促す。
【００３５】
（実施の形態２）
図４は（実施の形態２）の記録媒体再生装置を示し、図２の構成と異なるのは脱着型地域データ保持手段２５０の代わりに、地域データが書き込まれた非接触型データ記録手段４５０を設けた点である。非接触型データ記録手段４５０の具体例としては非接触型データキャリアを挙げることができる。これに対応して地域データ取得手段２２０も、非接触型データキャリアにアクセスできるリーダに置き換えられている。
【００３６】
上記のように構成された光ディスク再生装置について、以下その動作を説明する。
まず、地域データ取得手段２２０のリーダに非接触型データ記録手段４５０の非接触型データキャリアを近づけると、地域データ取得手段２２０のリーダは、非接触型データキャリアから非接触状態、具体的には、電極同士の接触などが無いノンコンタクトの状態で、非接触型データキャリアに設定された地域データが読み込まれる。光ディスク再生装置への物理的操作なしに地域データ取得手段２２０の読み込んだ地域データは地域データ設定部２１１に設定される。
【００３７】
地域管理判別部２１２は、光ディスク２３０の地域管理情報と、光ディスク再生部２１０の地域データ設定部２１１に設定された地域固有のリージョンコードとを照合し、一致した時に光ディスクからの再生信号を画像表示装置２４０により再生する。
【００３８】
このように、フラッシュメモリカード２５０の代わりに、非接触型データキャリアを設けたことにより、光ディスク再生部２１０の物理的操作をおこなわずして、地域データ設定部２１１に設定された地域管理情報を更新することができる。
【００３９】
なお、この場合も（実施の形態１）の場合と同様に、非接触型データ記録手段４５０には、地域データの他に個々の光ディスク再生部２１０に固有の情報が書き込み、地域データ設定部２１１において光ディスク再生部２１０の固有の再生装置情報と非接触型データ記録手段４５０に設定された前記再生装置情報とを照合して前記更新を許可するように構成して、他の光ディスク再生部で使用されている非接触型データ記録手段４５０を使用できないようにも構成できる。
【００４０】
（実施の形態３）
図５は（実施の形態３）の記録媒体再生装置を示し、図２の構成と異なるのは地域データ取得手段２２０と脱着型地域データ保持手段２５０の代わりに、光ディスク再生部２１０に商用電源５６０の電源電圧を目的の電圧に変換して供給する電圧変換ユニットに地域データを設定した点だけが異なっている。
【００４１】
光ディスク再生装置を他の地域で使用する場合は、日本国内の商用電源電圧が１００ボルト、アメリカ国内の商用電源電圧が１２０ボルトというように各国ごとに電源電圧が違うので、この（実施の形態３）では、商用電源電圧と地域コードとの組み合わせごとに電圧変換ユニット５５０を用意し、それぞれの電圧変換ユニット５５０には使用地域に合った電圧電圧変換機能だけでなく、該当する地域コードが設定されている。
【００４２】
この場合の光ディスク再生部２１０は、使用地域に合った電圧変換ユニット５５０を介して商用電源５６０に接続されると、電圧変換ユニット５５０に設定された地域データが地域データ設定部２１１に設定される。
【００４３】
このように構成したため、あらかじめ地域データが付加された電圧変換ユニット５５０を接続すると、供給電源の変更に伴い自動的に地域管理情報を更新することができ、地域管理判別部２１２は、光ディスク２３０の地域管理情報と、光ディスク再生部２１０の地域データ設定部２１１に設定された地域固有のリージョンコードとを照合し、一致した時に光ディスクからの再生信号を画像表示装置２４０により再生する。
【００４４】
なお、この場合も（実施の形態１）の場合と同様に、電圧変換ユニット５５０には、地域データの他に個々の光ディスク再生部に固有の情報が書き込み、地域データ設定部２１１において光ディスク再生部２１０の固有の再生装置情報と電圧変換ユニット５５０に設定された前記再生装置情報とを照合して前記更新を許可するように構成して、他の光ディスク再生装置で使用されている電圧変換ユニット５５０を使用して光ディスク再生部２１０の地域データ設定部２１１への地域データの設定を実行できないようにも構成できる。
【００４５】
（実施の形態４）
図６は（実施の形態４）の記録媒体再生装置を示し、図２の構成と異なるのは接続された商用電源の入力電圧レベルと各国の電圧レベルを比較して使用地域、具体的には使用国を判定する供給電源判定手段６００を設けた点である。
【００４６】
上記のように構成された光ディスク再生装置について、以下その動作を説明する。
あらかじめ地域データが付加された脱着型地域データ保持手段２５０より、地域データが地域データ設定部２１１に設定される。また、供給電源判定手段６００に入力された商用電源電圧から使用中の国コードを判定し、地域管理判別部２１２では、供給電源判定手段６００で判定された使用中の国コードと、地域データ設定部２１１の地域データと同じかどうかを判別し、同じであれば、光ディスク２３０の地域管理情報と光ディスク再生部２１０の地域データ設定部２１１に設定された地域固有のリージョンコードとを照合し、一致した時に光ディスク２３０からの再生信号を画像表示装置２４０により再生する。
【００４７】
このように、商用電源の入力電圧レベルと各国の電圧レベルを比較する供給電源判定手段６００を設けることにより、商用電源電圧レベルと各国の電圧レベルを比較し、脱着型地域データ保持手段２５０の地域データが間違いないか判断でき、悪意をもった改造を防止できる。
【００４８】
なお、この供給電源判定手段６００と地域管理判別部２１２との組み合わせは、（実施の形態２）（実施の形態３）においても同様に実施できる。
（実施の形態５）
図７は（実施の形態５）の記録媒体再生装置を示し、図２の構成と異なるのは地域データ取得手段２２０と脱着型地域データ保持手段２５０の代わりに、ネットワークデータ位置判別手段７００を設けたことを特徴とする。
【００４９】
ネットワークデータ位置判別手段７００はインターネット７０１を介してサーバー７３０に接続され、地域データ設定部２１１は、ネットワークデータ位置判別手段７００を介してサーバー７３０から現在位置情報を取得するよう構成されている。
【００５０】
このように構成された光ディスク再生装置について、以下その動作を説明する。
まず、ネットワークデータ位置判別手段７００がインターネット７０１を介してサーバー７３０に接続する。サーバー７３０は各地域ごとに設けられ、他の地域からは接続できないのでネットワークデータ位置判別手段７００は接続できるサーバーを自動で探し、接続できるサーバーを発見後に前記サーバー７３０より地域データを受け取り、自動的に、地域データが地域データ設定部２１１に設定される。
【００５１】
地域管理判別部２１２は、光ディスク２３０の地域管理情報と、光ディスク再生部２１０の地域データ設定部２１１に設定された地域データ（地域固有のリージョンコード）とを照合し、一致した時に光ディスク２３０からの再生信号を画像表示装置２４０により再生する。
【００５２】
以上のように、脱着型地域データ保持手段２５０の代わりに、ネットワークデータ位置判別手段７００を設けたことにより、光ディスク再生装置における人的な設定が不要になり、自動的に地域管理情報を更新できる。
【００５３】
（実施の形態６）
図８は（実施の形態６）の記録媒体再生装置を示し、図２の構成と異なるのは地域データ取得手段２２０と脱着型地域データ保持手段２５０の代わりに、電話回線位置判別手段８００を設けたことを特徴とする。
【００５４】
上記のように構成された光ディスク再生装置について、以下その動作を説明する。
まず、電話回線位置判別手段８００により、電話をかけ電話交換機に接続される。接続された状態から地域を判別し、地域データが地域データ設定部２１１に設定される。これは、交換機からの識別情報の受信だけでなく、例えば、電話をかけるとき国際番号を使わずにつながるかどうか判定のみでも良いことを意味する。
【００５５】
地域管理判別部２１２は、光ディスク２３０の地域管理情報と、光ディスク再生部２１０の地域データ設定部２１１に設定された地域データ（地域固有のリージョンコード）とを照合し、一致した時に光ディスク２３０からの再生信号を画像表示装置２４０により再生する。
【００５６】
以上のように、フラッシュメモリカード２５０及び地域データ取得手段２２１の代わりに、電話回線位置判別手段８００を設けたことにより、自動的に、かつ、正確に、地域管理情報を更新できる。また、現在位置情報を旧来の電話交換機のフォーマットから受信できることにより悪意をもった位置情報の記録の防止及び、人的な設定が不要になる。
【００５７】
【発明の効果】
以上のように本発明の記録媒体再生装置における地域管理方法によると、遮蔽された空間においても、ＤＶＤディスクなどの記録媒体の再生が許容されている地域の場合であることを確認できる場合、ＤＶＤシステムなどにおける地域管理の考え方を遵守しながら、同一の記録媒体再生装置にて各地域に該当する地域管理情報を有するＤＶＤディスクなどの記録媒体を再生できる優れた光ディスク再生装置を実現できる。
【図面の簡単な説明】
【図１】システムパラメータＳＰＲＭ（２０）用プレーヤ地域コードの定義を示す図
【図２】本発明の（実施の形態１）の光ディスク再生装置のブロック図
【図３】同実施の形態のユーザーインターフェースを示す図
【図４】本発明の（実施の形態２）の光ディスク再生装置のブロック図
【図５】本発明の（実施の形態３）の光ディスク再生装置のブロック図
【図６】本発明の（実施の形態４）の光ディスク再生装置のブロック図
【図７】本発明の（実施の形態５）の光ディスク再生装置のブロック図
【図８】本発明の（実施の形態６）の光ディスク再生装置のブロック図
【符号の説明】
２１０      光ディスク再生部
２１１      地域データ設定部
２１２      地域管理判別部
２２０      地域データ取得手段
２３０      光ディスク（記録媒体）
２４０      画像表示装置
２５０      脱着型地域データ保持手段
４５０      非接触型データ保持手段
５５０      電圧変換ユニット
６００      供給電源判定手段
７００      ネットワークデータ位置判別手段
８００      電話回線位置判別手段
【図１】
2004185724.tif 000003
【図２】
2004185724.tif 000004
【図３】
2004185724.tif 000005
【図４】
2004185724.tif 000006
【図５】
2004185724.tif 000007
【図６】
2004185724.tif 000008
【図７】
2004185724.tif 000009
【図８】
2004185724.tif 000010